(57)【特許請求の範囲】
【請求項１】
管形状のランプの口金部から突出するランプピンをソケット本体の挿入口に挿入し、前記ソケット本体と、該ソケット本体に装着される前記ランプの前記口金部を覆い前記ランプの軸回りの螺合により前記ソケット本体に締め付ける締付カバーと、前記ランプが挿通可能であり前記ソケット本体と前記締付カバーとの間に、挿通される前記ランプとの間から水分が浸入することを抑制するパッキンとを備える防水ソケット用の前記パッキンであって、
前記パッキンは、前記ソケット本体側と当接する第１当接部と、前記締付カバー側と当接する第２当接部と、前記第１当接部と前記第２当接部との間に、前記第１当接部側および前記第２当接部側と連続一体に形成され前記口金部の外径よりも外径が小さい前記ランプの発光管側と密着するパッキン密着部とを有しており、
前記ランプの軸方向に沿って、前記パッキン密着部から前記第１当接部および前記パッキン密着部から前記第２当接部への外周および内周がそれぞれ外方へ凸状となる曲面で形成されており、かつ前記ランプが挿通されるパッキン開口部における前記パッキン密着部の内径より前記第１当接部の内径および前記第２当接部の内径を大きくしており、
前記パッキン密着部と前記第１当接部との間、または、前記パッキン密着部と前記第２当接部との間の少なくとも一方に、径方向の肉厚が最も薄くなる肉薄部を備え、
前記ランプの挿通時に前記ランプと接触し前記ランプの挿通方向に変形可能な凸部を前記パッキン密着部における前記パッキン開口部側に備えていることを特徴とする防水ソケット用のパッキン。
【請求項２】
前記軸方向に沿って、前記パッキン密着部から前記第１当接部および前記パッキン密着部から前記第２当接部に向かって外径を大きく、かつ径方向の肉厚を厚くしてなることを特徴とする請求項１に記載の防水ソケット用のパッキン。
【請求項３】
前記軸方向に沿って、前記パッキン密着部から前記第１当接部および前記パッキン密着部から前記第２当接部に向かって内径を大きく、かつ径方向の肉厚を厚くしてなることを特徴とする請求項１または請求項２に記載の防水ソケット用のパッキン。
【請求項４】
前記第１当接部側と前記第２当接部側とが前記パッキン密着部を介して対称の形状であることを特徴とする請求項１ないし請求項３のいずれか１項に記載の防水ソケット用のパッキン。
【請求項５】
請求項１ないし請求項４に記載のいずれか１項の前記パッキンを備えたことを特徴とする防水ソケット。
【請求項６】
請求項５に記載の前記防水ソケットを備えたことを特徴とする照明装置。
【発明の詳細な説明】
【技術分野】
【０００１】
本発明は、管形状のランプを装着させる防水ソケット用のパッキン、それを用いた防水ソケットおよび照明装置に関する。
【背景技術】
【０００２】
従来から、家庭や各種施設の照明装置として、蛍光ランプを装着するランプソケットを備えた照明装置が広く用いられている。ランプソケットには、屋外や水回りでの使用を考慮し防水性を備えた防水ソケットもある。
【０００３】
この種の防水ソケットとして、図８および図９に示すように、直管形蛍光ランプ７７を装着可能な防水ソケット７５が知られている（たとえば、特許文献１）。
【０００４】
防水ソケット７５は、直管形蛍光ランプ７７の口金部７７ａから突出するランプピン７７ｂを挿入するソケット本体７１１を備えている。また、防水ソケット７５は、第２防水パッキン７１５と、直管形蛍光ランプ７７の端部を覆ってソケット本体７１１に取り外し可能に取り付けられる締付け筒アセンブリ７１４とを備えている。
【０００５】
ここで、締付け筒アセンブリ７１４は、締付け筒７１７と、第１防水パッキン７１３と、パッキン押え７１９とを備えている。また、ソケット本体７１１は、ベース部７２１につながった部分の外周面に雄螺子部７２５が設けられた螺合部７２２、パッキン受け部７２３が設けられており、前面を塞ぐ前面壁７２４を有している。螺合部７２２の外周面部分は、螺合部７２２の根元部７２２ａをパッキン嵌合部としている。根元部７２２ａには、第２防水パッキン７１５が嵌合される。また、螺合部７２２には、ソケット本体７１１の先端側に位置して雄螺子部７２５を横断するランプピン通過溝７２６が設けられている。そして、前面壁７２４には、ランプピン通過溝７２６と連続して形成された出入口部７２７ａおよび二股状のランプピン回転用溝７２７が形成されていている。なお、ベース部７２１の両側面には、図示していないソケット取付台に嵌合させる取付溝７２１ａが設けられている。
【０００６】
締付け筒７１７の開口部には、内向き縁部７３１が形成され、締付け筒７１７の後部内周面には雄螺子部７２５に螺合する雌螺子部７３２が形成されている。締付け筒７１７内には、第１防水パッキン７１３とパッキン押え７１９とが夫々収容され、第１防水パッキン７１３は、パッキン押え７１９と締付け筒７１７との間に挟設される。パッキン押え７１９には、複数の係合凸部７４２が後方に突出されている。係合凸部７４２は、ソケット本体７１１の係合凹部７２８と凹凸係合される。パッキン押え７１９は、その前端に内向きのパッキン押しフランジ７１９ａを有している。パッキン押しフランジ７１９ａの前面には、食い込み突起７１９ｂが一体に突出されている。さらに、パッキン押え７１９の後端部には、係合凸部７４２の他に複数の引っ掛け突起７１９ｃが外向きに一体に突設されている。各引っ掛け突起７１９ｃは、弾性変形しながら雌螺子部７３２の一部を乗り越えてねじ溝に入り込む。
【０００７】
上述の防水ソケット７５は、防水ソケット７５の組立てに伴い、第１防水パッキン７１３が変形することにより直管形蛍光ランプ７７の外周面に密接して防水を確保する、できるとしている。
【先行技術文献】
【特許文献】
【０００８】
【特許文献１】特開２００１−５２８３０号公報
【発明の概要】
【発明が解決しようとする課題】
【０００９】
ところで、近年、蛍光ランプに比べて長寿命で、消費電力をより低くすることが可能な発光ダイオードを用いたＬＥＤランプが普及しつつある。また、直管形蛍光ランプの代替光源としての直管形ＬＥＤランプおよび該直管形ＬＥＤランプを装着させる直管形ＬＥＤランプ専用照明装置も開発されつつある。なお、直管形ＬＥＤランプは、管本体である発光管の一端側の口金部から突出した２本のランプピンおよび他端側の口金部から突出した１本のランプピンを備えた構造をしており、日本電球工業会による規格（ＪＥＬ８０１：２０１０）「Ｌ型ピン口金ＧＸ１６ｔ−５付直管形ＬＥＤランプシステム（一般照明用）」も制定されている。
【００１０】
そのため、直管形ＬＥＤランプにおいても従来からの直管形蛍光ランプと同様に屋外や水回りでの使用を考慮した防水性が要求される構造を有する防水ソケットが望まれている。
【００１１】
ここで、上述の規格に適合するＬ型口金付直管形ＬＥＤランプたる直管形ＬＥＤランプには、直管形蛍光ランプと異なり、直管形ＬＥＤランプにおける発光管の外径より口金部の外径が大きくなっているものがある。
【００１２】
上述の特許文献１における防水ソケット７５の構造を、直管形ＬＥＤランプを装着する防水ソケットに応用する場合、口金部の外径が発光管の外径よりも大きいため、締付け筒アセンブリ７１４に口金部を通してから発光管を第１防水パッキン７１３と密接させる必要がある。防水ソケット７５は、第１防水パッキン７１３を口金部の外径よりも外径が小さい発光管と密接させるため、直管形蛍光ランプ７７向けの防水ソケット７５と比較して、第１防水パッキン７１３を、より大きく変形させる必要がある。防水ソケット７５は、第１防水パッキン７１３の変形量が大きすぎれば、第１防水パッキン７１３が直管形ＬＥＤランプの発光管に密着する前に意図しない座屈を生じさせる。そのため、防水ソケット７５は、第１防水パッキン７１３が締付け筒７１７の開口部から防水ソケット７５の外部に逃げてしまう恐れがある。この場合、防水ソケット７５は、直管形ＬＥＤランプとの密着性が十分ではなく、防水ソケット７５の内部に水分が浸入しやすくなるという問題がある。
【００１３】
本発明は、上記事由に鑑みてなされたものであり、その目的は、より防水性を高めることが可能な防水ソケット用のパッキン、それを用いた防水ソケットおよび照明装置を提供することにある。
【課題を解決するための手段】
【００１４】
本発明の防水ソケット用のパッキンは、管形状のランプの口金部から突出するランプピンをソケット本体の挿入口に挿入し、上記ソケット本体と、該ソケット本体に装着される上記ランプの上記口金部を覆い上記ランプの軸回りの螺合により上記ソケット本体に締め付ける締付カバーと、上記ランプが挿通可能であり上記ソケット本体と上記締付カバーとの間に、挿通される上記ランプとの間から水分が浸入することを抑制するパッキンとを備える防水ソケット用の上記パッキンであって、上記パッキンは、上記ソケット本体側と当接する第１当接部と、上記締付カバー側と当接する第２当接部と、上記第１当接部と上記第２当接部との間に、上記第１当接部側および上記第２当接部側と連続一体に形成され上記口金部の外径よりも外径が小さい上記ランプの発光管側と密着するパッキン密着部とを有しており、上記ランプの軸方向に沿って、上記パッキン密着部から上記第１当接部および上記パッキン密着部から上記第２当接部への外周および内周がそれぞれ外方へ凸状となる曲面で形成されており、かつ上記ランプが挿通されるパッキン開口部における上記パッキン密着部の内径より上記第１当接部の内径および上記第２当接部の内径を大きくしており、上記パッキン密着部と上記第１当接部との間、または、上記パッキン密着部と上記第２当接部との間の少なくとも一方に、径方向の肉厚が最も薄くなる肉薄部を備え、上記ランプの挿通時に上記ランプと接触し該ランプの挿通方向に変形可能な凸部を上記パッキン密着部における上記パッキン開口部側に備えていることを特徴とする。
【００１５】
このパッキンにおいて、上記軸方向に沿って、上記パッキン密着部から上記第１当接部および上記パッキン密着部から上記第２当接部に向かって外径を大きく、かつ径方向の肉厚を厚くしてなることが好ましい。
【００１６】
このパッキンにおいて、上記軸方向に沿って、上記パッキン密着部から上記第１当接部および上記パッキン密着部から上記第２当接部に向かって内径を大きく、かつ径方向の肉厚を厚くしてなることが好ましい。
【００１７】
このパッキンにおいて、上記第１当接部側と上記第２当接部側とが上記パッキン密着部を介して対称の形状であることが好ましい。
【００１８】
本発明の防水ソケットは、上述のいずれかのパッキンを備えていることを特徴とする。
【００１９】
本発明の照明装置は、上述のいずれかの防水ソケットを備えていることを特徴とする。
【発明の効果】
【００２０】
本発明の防水ソケット用のパッキンは、より防水性を高めることが可能な防水ソケット用のパッキンを提供できるという顕著な効果がある。
【００２１】
本発明の防止ソケットは、より防水性を高めることが可能な防水ソケットを提供できるという顕著な効果がある。
【００２２】
本発明の照明装置は、より防水性を高めることが可能な防水ソケットを備えた照明装置を提供できるという顕著な効果がある。
【図面の簡単な説明】
【００２３】
【図１】実施形態１の防水ソケット用のパッキンを用いた防水ソケットを示し、（ａ）は防水ソケットの分解斜視図、（ｂ）は直管形ランプを装着させた使用状態を示す概略斜視図である。
【図２】同上の防水ソケット用のパッキンにおける圧縮前の状態を示し、（ａ）は側面図、（ｂ）は断面図、（ｃ）は概略斜視図である。
【図３】同上の防水ソケット用のパッキンにおける圧縮時の状態を示し、（ａ）は側面図、（ｂ）は断面図、（ｃ）は概略斜視図である。
【図４】同上の防水ソケット用のパッキンを備えた防水ソケットの断面説明図である。
【図５】同上の別の防水ソケット用のパッキンを示す縦断面図である。
【図６】同上の防水ソケット用のパッキンを用いた防水ソケットに装着される直管形ランプを示し、（ａ）は正面図、（ｂ）は一端側の口金たる第１口金部に他端側の口金たる第２口金部のランプピンを投影した側面説明図である。
【図７】実施形態２の照明装置を示す概略構成図である。
【図８】従来の防水ソケットの分解斜視図である。
【図９】図８に示す防水ソケットの組み立てが完了した状態を示す断面図である。
【発明を実施するための形態】
【００２４】
（実施形態１）
図１ないし図５に基づいて、本実施形態の防水ソケット用のパッキン４およびパッキン４を用いた防水ソケット１０を説明し、図６に基づいて直管形ランプ２０を説明する。なお、各図において、同様の構成要素に対しては、同じ番号を付して重複する説明を省略している。
【００２５】
最初に、防水ソケット１０に装着する管形状のランプとして、Ｌ型口金付直管形ＬＥＤランプからなる直管形ランプ２０について説明する。図６に示す直管形ランプ２０は、透光性材料（たとえば、ガラスや合成樹脂など）により円筒形状の直管に形成された管本体である発光管２１を備えている。発光管２１の軸方向の両端部には、口金がそれぞれ設けられている。直管形ランプ２０は、発光管２１の外径（たとえば、２５．５ｍｍ）より口金の外径（たとえば、３０．０ｍｍ）が大きくなっている。防水ソケット１０に装着される直管形ランプ２０は、一方の端部における口金として、発光管２１の一端部側を覆うように、有底円筒状の給電用の第１口金部２２が設けられている。また、直管形ランプ２０は、他方の端部における口金として、発光管２１の軸方向の他端部側を覆うように、有底円筒状の接地用の第２口金部２３が設けられている。
【００２６】
発光管２１の内部には、図示していないが発光管２１よりも全長が若干短い矩形板状の実装基板（たとえば、セラミック基板など）が収納されている。実装基板の一表面側には白色光が発光可能な複数個の発光ダイオード（図示していない）を所定の間隔で実装して電気的に接続する回路パターンが形成されている。また、実装基板の他表面側には、他表面側と接する底面部から突出した側壁部が発光ダイオードからの光を所定の方向に反射させる断面Ｃ字形状の反射板（図示していない）を備えている。なお、反射板は、アルミニウムにより形成されており、実装基板の他表面側から底面部を介して発光ダイオードの熱を外部に放出させるヒートシンクとしても機能する。
【００２７】
直管形ランプ２０の第１口金部２２の端面には、側面視において、第１口金部２２の径方向における中央部の両側に略半円状に凹んだ凹部２２ｂ，２２ｂが設けられている。直管形ランプ２０の第１口金部２２の端面は、凹部２２ｂ，２２ｂにより、中央部が凹部２２ｂよりも前方に突出した直方体状の突出部２２ａが形成されている（図６（ｂ）を参照）。突出部２２ａには、円筒形状の発光管２１の中心軸（図示していない）を挟んで対称な位置に、金属材料により板状に形成され、直管形ランプ２０の軸方向に沿って突出する給電用のランプピンたる２本の第１ランプピン２４，２４が略平行に設けられている。各第１ランプピン２４は、直管形ランプ２０の軸方向と平行に突出した板状突出部２４ａと、板状突出部２４ａの先端部が略直角に曲げられて、中心軸に向かう方向と反対側の外側方向に突出している折曲部２４ｂとを備えている。
【００２８】
２本の第１ランプピン２４，２４は、たとえば、発光管２１の内部で図示していないリード線を介して実装基板の回路パターンと電気的に接続させている。なお、実装基板には、発光ダイオードが実装されるとともに発光ダイオードを電気的に保護する全波整流器などの回路部品（図示していない）も実装させている。直管形ランプ２０は、いずれの第１ランプピン２４，２４が直流電源の正極側に接続された場合でも、各発光ダイオードに順方向電流が流れるように、第１ランプピン２４，２４と、各発光ダイオードとを全波整流器を介して電気的に接続させている。したがって、２本の第１ランプピン２４，２４は、直管形ランプ２０の発光ダイオードに給電する端子として機能する。
【００２９】
なお、直管形ランプ２０に収容されている発光ダイオードは、図示していないが、たとえば、通電することにより、ピーク波長が、４２０ｎｍ〜４９０ｎｍの範囲内にある青色光を放射するＬＥＤチップと、ＬＥＤチップを収納する収納凹所が一表面に設けられたセラミック（たとえば、アルミナなど）製のパッケージ本体とを備えている。収納凹所には、ＬＥＤチップから放射された青色光の一部を吸収し、より長波長の蛍光（たとえば、黄色光）を発する蛍光体（たとえば、Ｃｅで付活されたＹ３Ａｌ５Ｏ１２、Ｃｅで付活されたＴｂ３Ａｌ５Ｏ１２などのアルミネート系の蛍光体やＥｕで付活されたＢａ２ＳｉＯ４などのシリケート系の蛍光体）が含有された透光性材料（たとえば、シリコーン樹脂、エポキシ樹脂、アクリル樹脂、ポリカーボネート樹脂やガラスなど）からなる波長変換部材が埋設されている。また、発光ダイオードは、パッケージ本体の他表面に外部接続用電極（図示していない）が設けられており、外部接続用電極と実装基板の回路パターンとが半田からなる接合部（図示していない）を介して電気的に接続されている。
【００３０】
直管形ランプ２０の他端側の口金となる第２口金部２３は、直管形ランプ２０の軸方向に沿って第２口金部２３から突出する接地用のランプピンたる１本の第２ランプピン２５を備えている。第２ランプピン２５は、第２口金部２３の端面の中心部から直管形ランプ２０の軸方向に沿って突出し、金属材料により丸棒状に形成された軸部２５ａを備えている。軸部２５ａの先端部には、軸部２５ａの軸径よりも大きな径大部２５ｂを備えている。径大部２５ｂは、直管形ランプ２０の軸方向から見た形状が直管形ランプ２０の第１口金部２２から突出する２本の第１ランプピン２４，２４が並ぶ方向と平行方向を、長手方向とする長円形状としている（図６（ｂ）を参照）。なお、径大部２５ｂは、長円形状だけに限らず、楕円形状であってもよい。径大部２５ｂは、金属材料からなり軸部２５ａと一体に形成されている。
【００３１】
第２ランプピン２５は、直管形ランプ２０の軸方向に沿って突出した丸棒状の軸部２５ａと、径大部２５ｂとを有してＴ字状の形状となっている（図６（ａ）を参照）。第２ランプピン２５は、実装基板の回路パターンと電気的に接続して接地用のアースピンとして機能させている。すなわち、直管形ランプ２０は、一端部側の第１口金部２２から給電する片側給電方式となっている。
【００３２】
このような直管形ランプ２０の第１口金部２２を装着可能な図１に示す防水ソケット１０は、直管形ランプ２０の第１口金部２２から突出する第１ランプピン２４，２４がソケット本体１の挿入口１ｅに挿入される。防水ソケット１０は、直管形ランプ２０を直管形ランプ２０の軸回りに回動させて直管形ランプ２０を装着させる。防水ソケット１０は、ソケット本体１と、ソケット本体１に装着される直管形ランプ２０の第１口金部２２を覆い上記軸回りの螺合によりソケット本体１に締め付ける締付カバー６とを備えている。また、防水ソケット１０は、直管形ランプ２０が挿通可能でありソケット本体１と締付カバー６との間に、挿通される直管形ランプ２０との間から水分が浸入することを抑制するパッキン４を備えている。
【００３３】
ここで、パッキン４は、ソケット本体１側と当接する第１当接部４ｂと、締付カバー６側と当接する第２当接部４ｄとを有している。また、パッキン４は、第１当接部４ｂと第２当接部４ｄとの間に、第１当接部４ｂ側と第２当接部４ｄ側と連続一体に形成され直管形ランプ２０の発光管２１側と密着するパッキン密着部４ｃを有している。パッキン４は、直管形ランプ２０の軸方向に沿って、パッキン密着部４ｃから第１当接部４ｂおよびパッキン密着部４ｃから第２当接部４ｄへの外周がそれぞれ外方へ凸状となる曲面で形成されている。さらに、パッキン４は、直管形ランプ２０の軸方向に沿って、直管形ランプ２０の第１口金部２２が挿通されるパッキン開口部４ａにおけるパッキン密着部４ｃの内径より第１当接部４ｂの内径および第２当接部４ｄの内径を大きくしている。
【００３４】
より具体的には、本実施形態のパッキン４を用いた防水ソケット１０におけるソケット本体１は、開口部１ｃａを備え内部が空洞なボディ部１ｃと、ボディ部１ｃの開口部１ｃａの周部を除いて覆いボディ部１ｃに対して回動可能な回転子１ｉとを備えている。また、ソケット本体１には、ボディ部１ｃと回転子１ｉとで囲まれた空洞内に収納され、直管形ランプ２０の２本の第１ランプピン２４，２４と個別に電気的に接続可能な給電用の導電板たる一対の導電部１ｈ，１ｈが備えられている。
【００３５】
また、ソケット本体１は、ボディ部１ｃに、支持部１ｂを介して図示していない器具側に取り付けるためのベース基台１ａを備えている。ボディ部１ｃは、合成樹脂により有底円筒状に形成されている。また、回転子１ｉは、合成樹脂により形成しており、直管形ランプ２０の第１口金部２２の凹部２２ｂが当接可能な受口面１ｉａ，１ｉａを有している。ここで、ボディ部１ｃの外周壁１ｄには、直管形ランプ２０の第１口金部２２から突出した２本の第１ランプピン２４，２４を挿入するための挿入口１ｅが１つ設けられている。また、回転子１ｉは、回転子１ｉの外周側から回転子１ｉの径方向に沿って、第１ランプピン２４，２４をソケット本体１の内部側に挿入するための直線状溝部１ｋｂを備えている。回転子１ｉは、ボディ部１ｃの内底面における中央部から突出した一対の対向する半円筒状の突出部１ｊに対して回転自在に係合させるため、ボディ部１ｃ側に突出し突出部１ｊの外径よりも内径が大きい円筒状の突部１ｋを備えている。また、回転子１ｉの突部１ｋには、突出部１ｊに設けられた挿入凹部１ｊａに挿入して係合するための係合爪部１ｋａを備えている（図４を参照）。すなわち、回転子１ｉは、回転により外周壁１ｄ側で直線状溝部１ｋｂと挿入口１ｅとの位置を一致させることが可能としている。なお、ボディ部１ｃおよび回転子１ｉは、電気絶縁性の合成樹脂を用いて形成することで絶縁性を確保している。
【００３６】
一対の導電部１ｈ，１ｈは、それぞれ導電性の良好な金属材料（たとえば、銅合金など）の板状体を折り曲げ加工して形成される。一対の導電部１ｈ，１ｈは、ボディ部１ｃの内部で、突出部１ｊを介して配置させている。なお、各導電部１ｈは、同形状で形成させても異なる形状であってもよい。ここで、導電部１ｈは、ボディ部１ｃの内部に設けた内壁部１ｍを利用して固定している。
【００３７】
各導電部１ｈは、中央部に直管形ランプ２０の第１ランプピン２４と接触する接触片１ｈａを備えている。各導電部１ｈは、接触片１ｈａの一端部に、一対の接触片１ｈａ，１ｈａ間の幅よりも、より広がる向きに接触片１ｈａから折り曲げられたガイド片１ｈｂを備えている。各導電部１ｈは、接触片１ｈａを介してガイド片１ｈｂと反対側の他端部にベース片１ｈｃを備えている。
【００３８】
直管形ランプ２０を装着させた防水ソケット１０は、回転子１ｉにおける受口面１ｉａに直管形ランプ２０の凹部２２ｂが当接した状態で、ボディ部１ｃ内に配置させた導電部１ｈの接触片１ｈａと直管形ランプ２０の第１ランプピン２４とが接触する。ここで、直管形ランプ２０を防水ソケット１０に装着した場合、各第１ランプピン２４の板状突出部２４ａは、各導電部１ｈの接触片１ｈａとそれぞれ弾接され、第１ランプピン２４が防水ソケット１０側に保持される。なお、防水ソケット１０は、第１ランプピン２４が挿入口１ｅから直線状溝部１ｋｂに沿って挿入された後、直管形ランプ２０を直管形ランプ２０の軸回りに回動させることにより、ボディ部１ｃの挿入口１ｅと、回転子１ｉの直線状溝部１ｋｂとの位置がずれる。これにより直管形ランプ２０は、第１ランプピン２４の板状突出部２４ａが導電部１ｈの接触片１ｈａに保持され、防水ソケット１０から抜け出ることが防がれる。
【００３９】
また、ソケット本体１は、支持部１ｂを介して、ベース基台１ａ側からボディ部１ｃ側まで貫通する複数個（ここでは、２個）の図示しない貫設孔を備えている。ベース基台１ａの貫設孔は、一対の導電部１ｈ，１ｈ側とそれぞれ電気的に接続可能な電線（図示していない）の挿入孔としている。なお、導電部１ｈは、貫設孔に挿入された電線と、電気的に簡便に接続できるように速結端子（図示していない）を備えた構成としてもよい。また、ソケット本体１のベース基台１ａには、ベース基台１ａの両側面に防水ソケット１０を取り付ける器具側と嵌合させる取付溝１ａａを好適に設けている。
【００４０】
また、ソケット本体１は、ボディ部１ｃの外周壁１ｄにおける外周面に雄螺子部１ｆが設けられている。ここで、防水ソケット１０は、ソケット本体１に装着される直管形ランプ２０の第１口金部２２を覆いボディ部１ｃの雄螺子部１ｆとの螺合によりソケット本体１に締め付ける締付カバー６を備えている。
【００４１】
本実施形態のパッキン４を用いた防水ソケット１０では、図１（ａ）に示すように、ソケット本体１のボディ部１ｃと締付カバー６との間にソケット本体１側から締付カバー６側にかけて順に、円環状のソケットパッキン２と、ソケット本体１側に当接させる円筒状の第１内筒部３と、挿通される直管形ランプ２０との間から水分が浸入することを抑制するパッキン４と、パッキン４を収納し締付カバー６の締め付けによりパッキン４を第１内筒部３側に押圧する円環状の第２内筒部５とを備えている。
【００４２】
締付カバー６は、合成樹脂により円筒状に形成している。円筒状の締付カバー６は、カバー開口部６ａに直管形ランプ２０の第１口金部２２を挿入することができるように、第１口金部２２の外径よりも若干大きい内径を備えている。締付カバー６は、締付カバー６の内周面に雄螺子部１ｆと螺合する雌螺子部６ｃが形成されている（図４を参照）。締付カバー６は、直管形ランプ２０の軸回りに回転させ、雌螺子部６ｃと雄螺子部１ｆとの螺合により、ソケット本体１に取り付けられた直管形ランプ２０の第１口金部２２の外周面を覆ってソケット本体１に取り外し可能に取り付けられる。締付カバー６は、第２内筒部５を介して、パッキン４を第１内筒部３側に押圧する。締付カバー６は、第２内筒部５とパッキン４を支持する第１内筒部３との間で、パッキン４を圧縮できるように第２内筒部５、パッキン４および第１内筒部３を収容している。
【００４３】
第２内筒部５は、ボディ部１ｃ側の第２内筒本体部５ｂと、第２内筒本体部５ｂの端部から突出したフランジ部５ｄとを備えている。第２内筒部５には、直管形ランプ２０の第１口金部２２を挿入することができるように、第１口金部２２の外径よりも若干大きくカバー開口部６ａよりも小さい内径を備えた第２内筒開口部５ａを有している。
【００４４】
第２内筒部５に収容されるパッキン４は、合成樹脂により形成した第２内筒部５と合成樹脂により形成した第１内筒部３との間に配置される（図４を参照）。パッキン４は、弾性材料を用いて成形されている。パッキン４には、ソケット本体１側の第１内筒部３と当接させる円環状の第１当接部４ｂと、締付カバー６側となる第２内筒部５のフランジ部５ｄと当接させる円環状の第２当接部４ｄとを有している。また、パッキン４は、第１当接部４ｂと第２当接部４ｄとの間に、第１当接部４ｂ側および第２当接部４ｄ側と連続一体に形成され直管形ランプ２０の発光管２１と密着するパッキン密着部４ｃを有している。
【００４５】
パッキン４は、直管形ランプ２０の軸方向に沿って、パッキン密着部４ｃから第１当接部４ｂおよびパッキン密着部４ｃから第２当接部４ｄへの外周がそれぞれ外方へ凸状となる曲面で形成されている（図２を参照）。また、パッキン４は、直管形ランプ２０が挿通されるパッキン開口部４ａにおけるパッキン密着部４ｃの内径より第１当接部４ｂの内径および第２当接部４ｄの内径を大きくしている。
【００４６】
さらに、パッキン４は、直管形ランプ２０の軸方向に沿って、パッキン密着部４ｃから第１当接部４ｂおよびパッキン密着部４ｃから第２当接部４ｄに向かって外径を大きく、かつ径方向の肉厚を厚くしている。また、パッキン４は、直管形ランプ２０の軸方向に沿って、パッキン密着部４ｃから第１当接部４ｂおよびパッキン密着部４ｃから第２当接部４ｄに向かって内径を大きく、かつ径方向の肉厚を厚くしている。
【００４７】
これにより、パッキン４は、パッキン４の第１当接部４ｂとパッキン４の第２当接部４ｄとが近づくように押圧された場合（図３を参照）、意図しない部位で座屈することを抑制し、挿通される直管形ランプ２０側と密着することが可能となる。また、パッキン４は、第１当接部４ｂと第２当接部４ｄとが近づくように押圧された場合（図３を参照）、パッキン開口部４ａの内径を小さくさせるためのパッキン４の変位量を大きくすることが可能となる。
【００４８】
ここで、本実施形態のパッキン４では、直管形ランプ２０の挿通時に直管形ランプ２０と接触し直管形ランプ２０の挿通方向に変形可能な凸部４ｅを、パッキン密着部４ｃにおけるパッキン開口部４ａ側に備えている。パッキン４は、第１当接部４ｂと第２当接部４ｄとが近づくように押圧された場合（図３を参照）、挿通される直管形ランプ２０側と凸部４ｅとが密着することになる。ここで、パッキン４は、直管形ランプ２０の挿通時に直管形ランプ２０と接触し第１口金部２２と多少干渉しても、直管形ランプ２０の挿通方向に凸部４ｅが変形する。これにより、パッキン４は、パッキン４自体や直管形ランプ２０に過度な負荷を掛けることなく、直管形ランプ２０を挿通させることが可能となる。
【００４９】
また、パッキン４は、パッキン開口部４ａの内径を第１口金部２２の外径よりも若干小さい大きさとすることが可能となる。パッキン４は、第１当接部４ｂと第２当接部４ｄとが近づくように押圧された場合（図３を参照）、押圧に伴うパッキン４の変形を少なくし、パッキン４の座屈を、より抑制することが可能となる。
【００５０】
また、本実施形態のパッキン４は、パッキン密着部４ｃと、第１内筒部３に当接させる第１当接部４ｂとの間に径方向の肉厚が最も薄くなる肉薄部４ｆを備えている。同様に、本実施形態のパッキン４は、パッキン密着部４ｃと、第２内筒部５に当接させる第２当接部４ｄとの間に、径方向の肉厚が最も薄くなる肉薄部４ｆを備えている。そのため、パッキン４は、第１当接部４ｂと第２当接部４ｄとが近づくように押圧された場合（図３を参照）、意図しない部位で座屈することをより抑制し、挿通される直管形ランプ２０側と凸部４ｅとを密着させることが可能となる。また、パッキン４は、第１当接部４ｂと第２当接部４ｄとが近づくように押圧された場合（図３を参照）、パッキン開口部４ａの内径を小さくさせるためのパッキン４の変位量を、より大きくすることが可能となる。
【００５１】
なお、パッキン４は、第１当接部４ｂ側と第２当接部４ｄ側とがパッキン密着部４ｃを介して対称の形状となるようにしている。これにより、防水ソケット１０は、防水ソケット１０を組み立てる際、図１における第１当接部４ｂと第２当接部４ｄとの配置を入れ替えることが可能となる。そのため、防水ソケット１０は、防水ソケット１０を組み立てる際の作業性を向上させることが可能となる。
【００５２】
また、パッキン４は、図５に示すように、実施形態１の図４に示すパッキン４と比較して、パッキン密着部４ｃと第１当接部４ｂ、パッキン密着部４ｃと第２当接部４ｄとの間の厚みを厚くし、径方向の厚みを略均一とするものでもよい。
【００５３】
パッキン４は、肉厚を厚くすることにより、図４に示すパッキン４と比較して、より皺が発生しにくくさせることができ、防水ソケット１０の防水性をより高めることが可能となる。
【００５４】
次に、第１内筒部３は、締付カバー６とボディ部１ｃとを螺合した場合、パッキン４の第１当接部４ｂと当接して、パッキン４をボディ部１ｃ側に支持することができる。第１内筒部３は、第１内筒開口部３ａに直管形ランプ２０の第１口金部２２を挿入することができるように第１口金部２２の外径よりも若干大きい内径を備えた円筒状の第１内筒本体部３ｂにより形成している。
【００５５】
防水ソケット１０は、図４に示す断面視において、締付カバー６と、締付カバー６と螺合されたボディ部１ｃとで囲まれた空間内において、第１内筒部３と、第２内筒部５との間に、挿通される直管形ランプ２０と密着するパッキン４が配置される。
【００５６】
締付カバー６は、ボディ部１ｃ側と螺合することにより、第２内筒部５のフランジ部５ｄがパッキン４の第２当接部４ｄを押圧するように締め付ける。これにより、パッキン４は、パッキン開口部４ａの内径が、たとえば、２９ｍｍから２３．５ｍｍに小さくなり、パッキン密着部４ｃと直管形ランプ２０の発光管２１とが密着する。ここで、第２内筒部５は、パッキン４の材料と比較して、粘着性が低く、かつ低摩擦係数の合成樹脂材料により形成している。同様に、第１内筒部３は、パッキン４の材料と比較して、粘着性が低く、かつ低摩擦係数の合成樹脂材料により形成している。なお、締付カバー６は、ボディ部１ｃ側との螺合を行いやすくするため、締付カバー６の外周面に軸回りの滑り止めに用いられる滑止部６ｄを備えている。滑止部６ｄは、たとえば、締付カバー６の外周面に軸方向に沿って設けた突起を軸回りに複数設けたものでよい。
【００５７】
防水ソケット１０は、締付カバー６をボディ部１ｃに対し軸回りに回転して締め付ける場合、締付カバー６と、パッキン４とが直接接触する防水ソケットの構造と比較して、直管形ランプ２０とパッキン４との密着性を維持したまま、締付カバー６をボディ部１ｃに対して回転し易くすることができる。
【００５８】
また、第１内筒部３には、締付カバー６の回転に伴い直管形ランプ２０が締付カバー６と共に回転する共回りを防止するため、第１内筒本体部３ｂの端部からボディ部１ｃ側に突出する鋸歯状の形状の回転規制部３ｄを備えている。すなわち、第１内筒部３は、直管形ランプ２０の軸回りに回転することを規制させる複数個の回転規制部３ｄを備えている。また、ソケット本体１には、ボディ部１ｃの外周壁１ｄの内壁面から突出し、第１内筒部３の回転規制部３ｄと係合する鋸歯状の形状の本体回転規制部１ｇを有している。これにより、本体回転規制部１ｇは、第１内筒部３が直管形ランプ２０の軸回りの一方の向きに回転することを可能とし、一方と反対の他方の向きへの第１内筒部３の回転を規制する。
【００５９】
防水ソケット１０は、直管形ランプ２０の装着時において、第１内筒部３の鋸歯状の回転規制部３ｄと、ボディ部１ｃの鋸歯状の本体回転規制部１ｇとが係合する。防水ソケット１０は、回転規制部３ｄと本体回転規制部１ｇとが互いを係合する鋸歯状の形状であるため、締付カバー６を締め付ける方向への第１内筒部３の回転を規制することが可能となる。また、防水ソケット１０は、締付カバー６をソケット本体１側から取り外す際、回転規制部３ｄと本体回転規制部１ｇとの係合が外れやすくすることが可能となる。
【００６０】
なお、回転規制部３ｄおよび本体回転規制部１ｇは、互いに係合して第１内筒部３の回転を規制できればよい。したがって、本体回転規制部１ｇは、必ずしも、鋸歯状の形状だけでなく、たとえば、凸状の形状であってもよい。この場合、回転規制部３ｄは、本体回転規制部１ｇの凸状の形状に係合する凹状の形状を備えたものでもよい。
【００６１】
また、第１内筒部３は、締付カバー６の回転に伴い直管形ランプ２０が共回りすることを規制するため、複数個の第１位置規制部３ｃを備えている。第１位置規制部３ｃは、凸状部として、直管形ランプ２０の軸方向に沿って外側に突出する直方体状の形状に形成している。さらに、防水ソケット１０は、第１内筒部３の外周面に突出部３ｃａを設けている。
【００６２】
ここで、防水ソケット１０の締付カバー６は、締付カバー６の内周面にソケット本体１と螺合する雌螺子部６ｃを備えている。雌螺子部６ｃには、直管形ランプ２０の軸方向に挿通部（図示していない）が設けられている。また、第１内筒部３は、第１内筒部３の外周面に設けられた第１位置規制部３ｃから外方に突出する突出部３ｃａを備えている。ここで、挿通部は、直管形ランプ２０の軸方向に突出部３ｃａを挿通させることができる。また、防水ソケット１０は、挿通部に挿通した突出部３ｃａが挿通部から直管形ランプ２０の軸回りにずれた位置において、突出部３ｃａと雌螺子部６ｃとが係止されることを可能としている。
【００６３】
防水ソケット１０は、挿通部に突出部３ｃａを通して挿通部と突出部３ｃａとを直管形ランプ２０の軸回りにずらした位置とした場合、締付カバー６と第１内筒部３とが容易に外れ難くすることができる。そのため、防水ソケット１０は、締付カバー６と第１内筒部３との間に、パッキン４および第２内筒部５を保持したまま、締付カバー６に第１内筒部３を組み込むことが可能となる。これにより、本実施形態のパッキン４を用いた防水ソケット１０は、締付カバー６のソケット本体１への締め付けが行い易く、直管形ランプ２０を装着して防水構造とすることが容易となる。
【００６４】
なお、防水ソケット１０の挿通部は、直管形ランプ２０の軸方向に突出部３ｃａを挿通させる溝状の挿通部の幅が一定で変らないものでもよいし、ソケット本体１側から離れるにしたがって、挿通部の幅を狭くしたものでもよい。ソケット本体１側から離れるにしたがって挿通部の幅を狭くした挿通部は、突出部３ｃａの挿通がし易く、より締付カバー６に対して第１内筒部３を外れにくくすることが可能となる。
【００６５】
また、防水ソケット１０は、複数個の挿通部同士の間隔と、複数個の突出部３ｃａ同士の間隔とを直管形ランプ２０の軸回りに等間隔で設けられたものでもよい。防水ソケット１０は、挿通部同士の間隔と、突出部３ｃａ同士の間隔とを直管形ランプ２０の軸回りにおいて異ならせたものでもよい。挿通部同士の間隔を異ならせた防水ソケット１０は、締付カバー６に対して第１内筒部３をより外れにくくすることが可能となる。
【００６６】
第２内筒部５は、第１内筒部３に対して第２内筒部５が直管形ランプ２０の軸方向に移動可能としている。また、第２内筒部５は、第１内筒部３に設けられた複数個の第１位置規制部３ｃと係合して、直管形ランプ２０の軸回りへの第２内筒部５の回転を規制する。そのため、第２内筒部５は、第２内筒本体部５ｂのボディ部１ｃ側の端部から直管形ランプ２０の軸方向に沿って切欠かれた切欠部である第２位置規制部５ｃを、第２内筒部５の外周に沿って複数個設けている。
【００６７】
これにより、防水ソケット１０は、締付カバー６をボディ部１ｃに対し軸回りに回転して締め付ける場合、直管形ランプ２０が共回りすることを規制しつつ、締付カバー６をボディ部１ｃに螺合することが可能となる。
【００６８】
第１位置規制部３ｃは、上述のように、凸状部で構成され、第２位置規制部５ｃを切欠部とする構成だけに限られない。したがって、第１位置規制部３ｃおよび第２位置規制部５ｃは、一方が凸状の形状をした凸状部であり、他方が凸状部に係合する切欠部、あるいは凸状部に係合する溝となる溝部であってもよい。
【００６９】
なお、防水ソケット１０は、本実施形態のパッキン４が直管形ランプ２０と密着して防水可能であれば、必ずしもソケットパッキン２、第１内筒部３や第２内筒部５を設ける必要はない。この場合、防水ソケット１０は、たとえば、パッキン４を支持するため、ボディ部１ｃから突出する円環状突出部を備えた構成とすることもできる。
【００７０】
また、直管形ランプ２０の第２口金部２３側が装着される防水ソケットは、図示していないが上述した直管形ランプ２０の第１口金部２２側が装着される防水ソケット１０と外形を略同一形状としている。直管形ランプ２０の第２口金部２３側が装着される防水ソケットは、ソケット本体に直管形ランプ２０の第２口金部２３が当接可能な受口面を有している。防水ソケットは、受口面に直管形ランプ２０の第２ランプピン２５を挿入し、直管形ランプ２０の軸回りに軸部２５ａを回転可能に保持できる溝部を備えた構成とすることができる。また、防水ソケットは、ソケット本体の外周壁となる外周壁側からソケット本体の中心部側に沿って設けられ直管形ランプ２０の軸回りに軸部２５ａを回転可能に保持できる直線状溝部を備えた構成としてもよい。ここで、直線状溝部は、ソケット本体の外周壁の外周壁側が直管形ランプ２０の第２口金部２３から突出した第２ランプピン２５を挿入する挿入口を成している。また、防水ソケット１０は、内部に第２口金部２３から突出した１本の第２ランプピン２５と電気的に接続可能な導電部を構成する接地用の導電板たる第２の導電板を備えている。第２の導電板は、接地用のアースピンとなる第２ランプピン２５と電気的に接続させることで、接地用のアース端子として機能させることができる。なお、第２の導電板は、接地用に防水ソケットの外部と電気的に接続させる場合だけでなく、単に第２ランプピン２５を保持するだけの構成でもよい。また、直管形ランプ２０の第２口金部２３側が装着される防水ソケットは、上述した直管形ランプ２０の第１口金部２２側が装着される防水ソケット１０の構造と同様に、直管形ランプ２０の口金部である第２口金部２３を覆い直管形ランプ２０の軸回りの螺合によりソケット本体と締付カバーとの間にソケット本体側から締付カバー側にかけて順に配される、第１内筒部と、パッキンと、第２内筒部とを備えている。さらに、直管形ランプ２０の第２口金部２３を装着させる防水ソケットのソケット本体は、回転規制部に係合する本体回転規制部を有している。第２内筒部は、第１内筒部に対して第２内筒部が直管形ランプ２０の軸方向に可動でき、かつ第１内筒部に設けられた第１位置規制部と係合し直管形ランプ２０の回転方向への回動が規制される第２位置規制部を設けている。
【００７１】
ここで、パッキンは、ソケット本体側と当接する第１当接部と、締付カバー側と当接する第２当接部とを有している。また、パッキンは、第１当接部と第２当接部との間に、第１当接部側と第２当接部側と連続一体に形成され直管形ランプ２０の発光管２１側と密着するパッキン密着部を有している。パッキンは、直管形ランプ２０の軸方向に沿って、パッキン密着部から第１当接部およびパッキン密着部から第２当接部への外周がそれぞれ外方へ凸状となる曲面で形成されている。さらに、パッキンは、直管形ランプ２０の軸方向に沿って、直管形ランプ２０の第２口金部２３が挿通されるパッキン開口部におけるパッキン密着部の内径より第１当接部の内径および第２当接部の内径を大きくしている。
【００７２】
すなわち、直管形ランプ２０の第２口金部２３側が装着される防水ソケットは、直管形ランプ２０の第１口金部２２側を装着させる防水ソケット１０と、直管形ランプ２０の第２口金部２３側を装着させる構造以外は、同様の構造としている。
【００７３】
次に、本実施形態のパッキン４を用いた防水ソケット１０に直管形ランプ２０を装着させて防水構造とする方法について説明する。
【００７４】
直管形ランプ２０を防水ソケット１０に装着する際には、予め、ソケットパッキン２のソケットパッキン開口部２ａ、第１内筒部３の第１内筒開口部３ａ、パッキン４のパッキン開口部４ａ、第２内筒部５の第２内筒開口部５ａおよび締付カバー６のカバー開口部６ａに直管形ランプ２０を挿通させておく。次に、防水ソケット１０は、直管形ランプ２０の第１口金部２２を防水ソケット１０の受口面１ｉａ側、直管形ランプ２０の第２口金部２３を第２口金部２３を装着させる防水ソケットの受口面側にして、直管形ランプ２０を防水ソケット１０に近付ける。そして、直管形ランプ２０の第１口金部２２側は、防水ソケット１０の挿入口１ｅ内に一対の第１ランプピン２４，２４を挿入させる。同様に、直管形ランプ２０の第２口金部２３側は、第２口金部２３用の防水ソケットにおける第２の受口面の第２の挿入口内に第２ランプピン２５を挿入させる。その後、直管形ランプ２０は、防水ソケット１０に対して、直管形ランプ２０の軸回りに回動して防水ソケット１０に装着される。
【００７５】
これにより、第１ランプピン２４は、挿入口１ｅからソケット本体１の内部に挿入され回転子１ｉを回動させて、導電部１ｈの接触片１ｈａと嵌合させられる。
【００７６】
なお、第１ランプピン２４における板状突出部２４ａの挿入口１ｅへの挿入に伴って、導電部１ｈの接触片１ｈａが外側に撓められた後、接触片１ｈａの弾性力などで板状突出部２４ａが接触片１ｈａに接触して保持される。
【００７７】
防水ソケット１０は、一対の導電部１ｈ，１ｈの各接触片１ｈａ，１ｈａが直管形ランプ２０の２本の第１ランプピン２４，２４と各別に電気的に接続されるとともに、直管形ランプ２０を機械的に保持する。
【００７８】
この状態で、直管形ランプ２０は、発光管２１内部の発光ダイオードが所定の照射面側を向くように、実装基板と第１ランプピン２４，２４や第２ランプピン２５との位置関係を規定している。この時、２本の第１ランプピン２４，２４は、防水ソケット１０のボディ部１ｃの内部に配置されている２個の導電部１ｈ，１ｈと、各別に電気的に接続される。これにより、防水ソケット１０は、ボディ部１ｃの内部に配置されている２個の導電部１ｈ，１ｈを介して、防水ソケット１０側から直管形ランプ２０の発光ダイオードに直流電流を供給することが可能となる。また、直管形ランプ２０の１本の第２ランプピン２５の径大部２５ｂは、第２の導電板と電気的に接続させることで、接地用のアースピンとなる。すなわち、第２口金部２３用の防水ソケットは、直管形ランプ２０の第２口金部２３側の保持および直管形ランプ２０のアース接続を行うことが可能となる。
【００７９】
次に、直管形ランプ２０を挿通した、ソケットパッキン２、第１内筒部３、パッキン４、第２内筒部５および締付カバー６を、それぞれソケット本体１側に移動させる。ソケットパッキン２は、ソケットパッキン２の外周を第１内筒部３の第１内筒開口部３ａに当接させる。ここで、第１内筒部３は、第１内筒部３に設けられた回転規制部３ｄをソケット本体１の本体回転規制部１ｇと係合させる。また、パッキン４は、第１内筒部３の第１内筒本体部３ｂの端部と第２当接部４ｄとを当接させる。第２内筒部５は、パッキン４を覆って収容している。締付カバー６は、第２内筒部５を覆っている。ここで、第２内筒部５は、切欠部である第２位置規制部５ｃを第１内筒部３の凸状部である第１位置規制部３ｃに挿入している。防水ソケット１０は、この状態で、直管形ランプ２０を挿通した、ソケットパッキン２、第１内筒部３、パッキン４、第２内筒部５を覆った締付カバー６をソケット本体１側と螺合する。なお、直管形ランプ２０は、この状態で、発光ダイオードが所定の照射面側を向くように装着されている。
【００８０】
防水ソケット１０は、ソケット本体１の本体回転規制部１ｇと、第１内筒部３の回転規制部３ｄとが係合しているため、第１内筒部３がソケット本体１に対して直管形ランプ２０の軸回りに回転することを規制することができる。さらに、防水ソケット１０の第１内筒部３と第２内筒部５とは、第１位置規制部３ｃと第２位置規制部５ｃとが係合しているため、締付カバー６を締め付けても、第２内筒部５および第１内筒部３がソケット本体１に対して、直管形ランプ２０の軸回りに回転することを規制することができる。
【００８１】
したがって、本実施形態のパッキン４を用いた防水ソケット１０は、締付カバー６の回転に伴う直管形ランプ２０の共回りが規制され、防水ソケット１０に対する直管形ランプ２０の挿入方向が一定方向に定まった状態で直管形ランプ２０を装着することができる。すなわち、本実施形態の防水ソケット１０は、意図しない直管形ランプ２０の回転を抑制することができる。
【００８２】
また、防水ソケット１０では、締付カバー６がソケット本体１側と螺合することにより、パッキン４の第１当接部４ｂと第２当接部４ｄとが近づくように押圧される。本実施形態のパッキン４を用いた防水ソケット１０では、パッキン４が直管形ランプ２０の軸方向において、意図しない座屈を生じることを抑制するにより、防水性の低下が生ずることを抑制することが可能となる。
【００８３】
なお、防水性を高めた防水ソケット１０は、防水ソケット１０の内部に水分が浸入することを抑制するだけでなく、塵や芥が侵入することを抑制する防塵性も高くなる。
【００８４】
また、本実施形態のパッキン４を用いた防水ソケット１０は、直管形ランプ２０として片側給電方式のＬ型口金付直管形ＬＥＤランプを用いて説明したが、両側給電方式の直管形ランプを装着させるために用いてもよい。すなわち、防水ソケット１０は、直管形ランプ２０の一端側の第１口金部２２と当接するソケット本体１の一表面５ａ側だけで給電させる片側給電方式だけでなく、両側給電方式の直管形ランプを装着させるために、直管形ランプ２０の一端側の第１口金部２２と当接する防水ソケット１０と、直管形ランプ２０の他端側の第２口金部２３と当接する防水ソケット１０とから給電することが可能な構成としてもよい。
【００８５】
（実施形態２）
以下に、実施形態１で説明した防水ソケット１０を備える照明装置３０について図７の概略構成図を参照して説明する。
【００８６】
本実施形態の照明装置３０は、直管形ランプ２０を装着させることが可能な直方体状の照明器具３１を備えている。照明器具３１は、直管形ランプ２０の一端側の第１口金部２２と当接して給電するための図１で示した実施形態１のパッキン４を用いた防水ソケット１０を備えている。また、照明器具３１は、直管形ランプ２０の他端側の第２口金部２３と当接して接地端子となる第２ランプピン２５と電気的に接続可能な実施形態１で説明した第２口金部２３用の防水ソケット１１とを備えている。照明器具３１の内部には、商用電源ＡＣからの電源線が接続される端子台３３と、端子台３３を介して入力される商用電源ＡＣからの交流電圧を直管形ランプ２０に適合した所定の直流電圧に変換して降圧し直管形ランプ２０に供給する点灯回路３２が収納されている。点灯回路３２の出力端子は、配線３４を介して防水ソケット１０と接続されている。防水ソケット１０は、防水ソケット１０に装着された直管形ランプ２０の第１口金部２２側から給電する。また、点灯回路３２のアース端子部は、配線３６を介して、照明器具３１の他方の端部（図７の右側）に設けた防水ソケット１１と電気的に接続されている。
【００８７】
照明装置３０は、照明器具３１の長手方向の両端部に直管形ランプ２０を保持できるように照明器具３１の本体に防水ソケット１０，１１を突出させて備えている。すなわち、照明装置３０は、直管形ランプ２０における発光管２１の両端に設けられた第１口金部２２、第２口金部２３をそれぞれ対応する防水ソケット１０，１１に装着させることで直管形ランプ２０を保持する。なお、照明装置３０は、防水ソケット１０，１１を直管形ランプ２０の第１口金部２２および第２口金部２３間の長さに応じた所定の間隔で配置している。
【符号の説明】
【００８８】
１  ソケット本体
１ｅ  挿入口
４  パッキン
４ａ  パッキン開口部
４ｂ  第１当接部
４ｃ  パッキン密着部
４ｄ  第２当接部
４ｅ  凸部
４ｆ  肉薄部
６  締付カバー
１０，１１  防水ソケット
２０  直管形ランプ（ランプ）
２１  発光管
２２  第１口金部（口金部）
２４  第１ランプピン（ランプピン）
３０  照明装置
【図１】
0005891395.tif 000002
【図２】
0005891395.tif 000003
【図３】
0005891395.tif 000004
【図４】
0005891395.tif 000005
【図５】
0005891395.tif 000006
【図６】
0005891395.tif 000007
【図７】
0005891395.tif 000008
【図８】
0005891395.tif 000009
【図９】
0005891395.tif 000010